(57)【要約】【課題】製造が容易で、負荷にさらによく耐え、ワイヤの輪がリングとしてより強固に保持される安全ネットを製造する方法を提供する。【解決手段】相互連結リング（１）からなる安全ネットを製造する方法。ワイヤ（２）がほぼ軸線方向に挿入され、いくつかの巻線を有するリング（１）へと曲げることによって成形される。供給される間、ワイヤ（２）は、各々に貫通孔（４’）が設けられ完全に閉じられた２つの部材（３、４）を通され、ほぼリング（１）になるように曲げられ、これらの部材（３、４）の貫通孔（４’）がほぼワイヤ（２）で充填されるまで各巻線がこれらの部材（３、４）に通される。このリング（１）は、よく荷重に耐え、同時に製造が容易であり、さらにワイヤ・ループがリング内で強固に一緒に保持される。【選択図】図１
2006152797.tif 000002
【特許請求の範囲】
【請求項１】
ワイヤまたはストランド（２）が、ほぼその軸線方向に挿入され、曲げることによっていくつかの巻線を有するリング（１）へと形成される、安全ネット用、特に落石または雪崩防止柵用のリングを製造する方法であって、
挿入されるとき、前記ワイヤまたはストランド（２）が、少なくとも１つの部材（３、４）を通され、その部材（３、４）は、貫通孔（４’）を備え、完全に閉鎖され、ほぼリング（１）になるように曲げられ、前記部材（３、４）の貫通孔（４’）がワイヤまたはストランド（２）でほぼ充填されるまで、この部材中を各巻線ごとに通されることを特徴とする方法。
【請求項２】
前記ワイヤまたはストランド（２）は、互いに一定の間隔に、好ましくは互いに反対側に配置される２つの部材（３、４）を通されることを特徴とする請求項１に記載の方法。
【請求項３】
前記ワイヤまたはストランド（２）は、少なくとも１つの部材（３、４）を通すとともに、製造される安全ネット（１０）のすでに製造されたいくつかのリング（１’）を通されることを特徴とする請求項１または２に記載の方法。
【請求項４】
少なくとも１つの部材（３、４）は、ワイヤ（２）が完全に通された後で圧縮されることを特徴とする請求項１、２、または３に記載の方法。
【請求項５】
いくつかのゆるい巻線へと形成される少なくとも１つのワイヤまたはストランド（２）を各々が有する相互連結リング（１）を有し、前記巻線を一緒に半径方向に保持する少なくとも１つの手段を設けた、特に落石または雪崩防止柵用の安全ネットであって、前記手段は、貫通孔（４’）を備え完全に閉じられた部材（３、４）から形成され、この部材中を各巻線ごとに前記ワイヤ（２）またはストランドが通されることを特徴とする安全ネット。
【請求項６】
前記１つの部材（３、４）に隣接する領域内の前記ワイヤまたはストランド（２）の端部（２ａ、２ｂ）が、この部材（４）の両側にあることを特徴とする請求項５に記載の安全ネット。
【請求項７】
リングまたは同様の形状の形態をした前記少なくとも１つの部材（３、４）は、アルミニウムまたは精錬されたアルミニウム合金から作られることを特徴とする請求項５または６に記載の安全ネット。
【請求項８】
前記少なくとも１つの部材（３、４）は、銅、精錬された銅合金、あるいは別の金属または合成させた材料から作られることを特徴とする請求項５または６に記載の安全ネット。
【請求項９】
前記少なくとも１つの部材（３、４）は、ワイヤ・コイルが所定のワイヤ巻線数で内側スペース（４’）をほぼ充填するような内径を有することを特徴とする請求項５から８のいずれか一項に記載の安全ネット。
【請求項１０】
各リング（１）は、いくつか、好ましくは４つの隣接したリング（１’）によって周辺が取り囲まれることを特徴とする請求項５から９のいずれか一項に記載の安全ネット。
【発明の詳細な説明】
【技術分野】
【０００１】
本発明は、ワイヤまたはストランドが、ほぼその軸線方向に挿入され、曲げによっていくつかの巻線を有するリングへと形成される、安全ネット用、特に落石または雪崩防止柵用のリングを製造する方法および安全ネットに関する。
【背景技術】
【０００２】
例えば、落石または雪崩防止柵用の環状部材から作られた前述のタイプの安全ネットは、特許ＥＰ−Ｂ−０６７９４５７に開示されており、このような安全ネットを作るための方法と装置が説明されている。個々の環状部材は一本のワイヤからなり、このワイヤはいくつかのゆるい巻線へと形成され、その後いくつかのＣ形状のクランプが、リングの周囲で巻線を一緒に保持するように取り付けられ、閉じ部材によって変形させられる。リングの周囲には、このようなクランプが少なくとも３つ配置される。安全ネットに引張負荷がかかった場合、例えば一塊の落石が落下してきた場合、ネットの延びる限度いっぱいまで負荷がかかり、その結果クランプがはじけてリング部材がもはや一緒に保持できなくなることが起こる。一方、これらのクランプの耐食保護が、ゆがみ、クランプの端部の接合部分、または他の影響によって不適当となることも起こり得る。
【特許文献１】ＥＰ−Ｂ−０６７９４５７
【発明の開示】
【発明が解決しようとする課題】
【０００３】
本発明は、安全ネットの製造が容易となり、負荷にさらによく耐え、ワイヤ・ループをリングとしてより確実に保持できるように安全ネットを製造することの問題に基づくものである。
【課題を解決するための手段】
【０００４】
この問題は、本発明により、ワイヤまたはストランドが、少なくとも１つの部材を通されてほぼリングになるように曲げられ、その部材は、貫通孔を備え、完全に閉鎖され、前記部材の貫通孔がワイヤまたはストランドでほぼ充填されるまで、この部材中を各巻線ごとに通されることを特徴とする方法およびいくつかのゆるい巻線へと形成される少なくとも１つのワイヤまたはストランドを各々が有する相互連結リングを有し、巻線を一緒に半径方向に保持する少なくとも１つの手段を設け、その手段は、貫通孔を備え完全に閉じられた部材で形成され、この部材中を各巻線ごとにワイヤまたはストランドが通されることを特徴とする安全ネットによって解決される。
【０００５】
本発明の環状部材のさらに好ましい実施態様は従属請求項の対象を形成する。
【０００６】
巻線へと形成されるときにワイヤまたはストランドが通される貫通孔が設けられ、巻線の半径方向の密着のために完全に閉じられた少なくとも１つの部材の使用により、リングの製造が簡単になるだけでなく、動的な負荷の下で巻線のさらによい密着が保証される。また、個々の巻線はリングによって均等に負荷がかけられ、リングの全断面が丸いままであるという事実もある。驚くべきことに、結果として２５％〜４０％の引張り強度の分散が、ほんの数パーセントにまで減少することが分かった。
【発明を実施するための最良の形態】
【０００７】
次に、図面を用いて本発明をさらに詳細に説明する。
【０００８】
図１は、安全ネット用、特にいくつかのゆるい巻線に形成されたワイヤ２で形成された落石または雪崩防止柵用のリング１を示している。ワイヤ２は、高温亜鉛メッキまたは耐食加工されたロッド材あるいはステンレス・スチールからなる。このワイヤの太さは１〜６ｍｍが好ましい。リング１は、通常、３〜２０本の巻線を含んでいる。ワイヤの代わりに、巻かれたスチール・ワイヤのストランドを使用することもできる。
【０００９】
ワイヤ２を所望の直径のリングへと成形するために、例えばＥＰ−Ｂ−０６７９４５７に示され説明されているような曲げ装置が使用される。またこの特許明細書は、相互連結された環状部材から安全ネットがどのように製造されるかを網羅的に説明しており、そこでは１つの環状部材の巻線が少なくとも１つの予め製造された環状部材に通される。
【００１０】
巻線を一緒に保持するために、本発明によれば、ワイヤ２を巻線へと形成させるので、それぞれに貫通孔４’が設けられて完全に取り囲む２つの部材３、４に通される。これは、部材３、４の各貫通孔４’がワイヤ２でほぼ充填されるまで行われる。
【００１１】
ワイヤ２の端部２ａ、２ｂは、この部材４の両側で、リングとして形成された２つの部材３、４に隣接する領域にあることが望ましい。明らかに、２つよりも多くのこのような部材を巻線の周囲上に設けることもできるが、経験から２つの部材３、４だけで十分である。
【００１２】
部材３、４は、好ましくはアルミニウムまたは精錬されたアルミニウム合金、銅、精錬された銅合金、あるいはスチールもしくは他の金属または合成させた材料からなる。
【００１３】
図２によれば、リングの形態のこれらの部材３、４は、所定のワイヤ巻線数のワイヤ・コイルが部材に形成された貫通孔４’を充填するが、最後のワイヤ・ループを通すときに詰まりが生じないような内径を有する。必要ならば、リングが形成された後で、部材３、４をわずかにその半径方向に圧縮させてもよい。また、貫通孔４’を完全に充填するために、この部材３、４にインターライニングを使用することも可能である。その場合、これは部材の一体部分となる。
【００１４】
図３は、例えばスロープ上に設置され、落石、木材またはそれと同様のもの、あるいは雪崩を安全に捕捉することを保証する安全ネット１０の概略図である。本発明のリング１の一部のみが示された安全ネット１０は、地面に据え付けられた対応する支持体１１によってケーブル１５を介して保持され、支持体１１は保持ケーブル１２によって固定される。保持ケーブル１２には、当技術分野で知られている衝撃吸収緩衝部材１３を結合させておくことが好ましい。各リング１は、４つの隣接するリング１’が周囲に巻かれることが想定されている。
【００１５】
本発明は、提示した実施形態によって十分に説明されている。ワイヤを通す数、またリングの寸法が変更できることは明らかである。
【００１６】
同様に、部材は、ワイヤ・ループ・パッケージを包囲する楕円、または異なる形状の円形部分であってもよい。また、リングの一方の側でのみこのような部材を使用するか、一方の側でそれを使用して他方の側でワイヤ・ループ結束材またはそれと同様のものを使用することも可能である。理論的には、ワイヤ・ループまたはストランド用のワイヤとして１つよりも多いワイヤを設けることもできる。
【図面の簡単な説明】
【００１７】
【図１】４つの別のリングによって周囲が巻かれた、安全ネットの一部としての本発明のリングの平面図である。
【図２】図１からの１つのリングのみのＩＩ−ＩＩの断面図である。
【図３】相互連結リングからなる安全ネットを示す概略図である。
【符号の説明】
【００１８】
１  リング、２  ワイヤ、２ａ、２ｂ  端部、３、４  部材、１０  安全ネット、１１  支持体、１２  保持ケーブル、１３  衝撃吸収緩衝部材、１５  ケーブル
【図１】
2006152797.tif 000003
【図２】
2006152797.tif 000004
【図３】
2006152797.tif 000005